(57)【要約】  本発明の実施形態は、ＵＳＢ  Ｔｙｐｅ−ＣプラグおよびＵＳＢ  Ｔｙｐｅ−Ｃケーブルを提供する。ＵＳＢ  Ｔｙｐｅ−Ｃプラグは、デュアルロールポートＤＲＰと、ロール制御スイッチとを備え、ＤＲＰは、ＵＳＢデバイスに接続するよう構成され、ロール制御スイッチは、ＤＲＰに接続され、ＤＲＰのポート属性を制御するよう構成され、ポート属性は、スレーブデバイスポートＵＦＰ、ホストデバイスポートＤＦＰ、またはロール制御無しを含む。  本発明の実施形態において、ロール制御スイッチがＤＲＰのポート属性を制御し、これにより、ＵＳＢ  Ｔｙｐｅ−Ｃプラグを備えるＵＳＢ  Ｔｙｐｅ−Ｃケーブルは、ケーブル両端部のデバイスのホスト／スレーブ属性を制御することができる。このようにして、ユーザは、異なるデバイスをより明確かつ明示的に接続することができ、それにより電力供給方向を誤る事態が回避される。
2019501440.tif 000002
【特許請求の範囲】
【請求項１】
ユニバーサルシリアルバスＵＳＢ  Ｔｙｐｅ−Ｃプラグであって、
デュアルロールポートＤＲＰと、ロール制御スイッチとを備え、
前記ＤＲＰは、ＵＳＢデバイスに接続するよう構成され、
前記ロール制御スイッチは、前記ＤＲＰに接続され、前記ＤＲＰのポート属性を制御するよう構成され、前記ポート属性は、スレーブデバイスポートＵＦＰ、ホストデバイスポートＤＦＰ、またはロール制御無しを含む、
ＵＳＢ  Ｔｙｐｅ−Ｃプラグ。
【請求項２】
前記ロール制御スイッチは、第１抵抗を用いて前記ＤＲＰのＣＣピンと前記ＵＳＢ  Ｔｙｐｅ−Ｃプラグの電力ケーブルとを接続する、または第２抵抗を用いて前記ＤＲＰのＣＣピンと前記ＵＳＢ  Ｔｙｐｅ−Ｃプラグの接地ケーブルとを接続する、または前記ＤＲＰのＣＣピンと、前記ＵＳＢ  Ｔｙｐｅ−Ｃプラグが配されるケーブルのＣＣワイヤとを接続するよう構成される、
請求項１に記載のＵＳＢ  Ｔｙｐｅ−Ｃプラグ。
【請求項３】
前記ロール制御スイッチは、機械的デュアルインラインパッケージスイッチまたは電気的スイッチである、
請求項２に記載のＵＳＢ  Ｔｙｐｅ−Ｃプラグ。
【請求項４】
請求項１から３のいずれか一項に記載のＵＳＢ  Ｔｙｐｅ−Ｃプラグを備える、
ユニバーサルシリアルバスＵＳＢ  Ｔｙｐｅ−Ｃケーブル。
【請求項５】
前記ＵＳＢ  Ｔｙｐｅ−Ｃケーブルの両端部のポートが、前記ＵＳＢ  Ｔｙｐｅ−Ｃプラグであることを含む、
請求項４に記載のＵＳＢ  Ｔｙｐｅ−Ｃケーブル。
【請求項６】
前記ＵＳＢ  Ｔｙｐｅ−Ｃケーブルの一方の端部のポートが、前記ＵＳＢ  Ｔｙｐｅ−Ｃプラグであり、他方の端部のポートが、ＵＳＢ  Ｔｙｐｅ−Ａプラグ、ＵＳＢ  Ｔｙｐｅ−Ｂプラグ、ＵＳＢ  Ｍｉｎｉ−Ｂプラグ、またはロール制御スイッチを有しないＵＳＢ  Ｔｙｐｅ−Ｃプラグであることを含む、
請求項４に記載のＵＳＢ  Ｔｙｐｅ−Ｃケーブル。
【請求項７】
前記ＵＳＢ  Ｔｙｐｅ−Ｃケーブルの一方の端部のポートが、前記ＵＳＢ  Ｔｙｐｅ−Ｃプラグであり、他方の端部が、デバイスに直接的に接続されることを含む、
請求項４に記載のＵＳＢ  Ｔｙｐｅ−Ｃケーブル。
【発明の詳細な説明】
【技術分野】
【０００１】
本発明は、コンピュータ分野に関し、より具体的には、ユニバーサルシリアルバス（Ｕｎｉｖｅｒｓａｌ  Ｓｅｒｉａｌ  Ｂｕｓ、ＵＳＢ）Ｔｙｐｅ−Ｃのプラグおよびケーブルに関する。
【背景技術】
【０００２】
ＵＳＢ  Ｔｙｐｅ−Ｃは、ＵＳＢ  ＩＦにより発行された新たなＵＳＢポート規格であり、リバーシブルなＵＳＢ  Ｔｙｐｅ−Ｃプラグをサポートし、より良好なユーザエクスペリエンスをユーザに提供する。
【０００３】
ＵＳＢ  Ｔｙｐｅ−Ｃ仕様では、ＵＳＢ  Ｔｙｐｅ−Ｃケーブルの両端部がＵＳＢ  Ｔｙｐｅ−Ｃプラグを有する。それらが挿入されるデバイスは、スレーブデバイスポート（Ｕｐ  Ｆａｃｉｎｇ  Ｐｏｒｔ、ＵＦＰ）、ホストデバイスポート（Ｄｏｗｎ  Ｆａｃｉｎｇ  Ｐｏｒｔ、ＤＦＰ）、およびデュアルロールポート（Ｄｕａｌ  Ｒｏｌｅ  Ｐｏｒｔ、ＤＲＰ）という３つの「ロール」を有してよい。
【０００４】
ＵＳＢ  Ｔｙｐｅ−Ｃケーブルの２つのデュアルロールポートＤＲＰがそれぞれデバイスＡおよびデバイスＢに接続された場合、デバイスＡおよびデバイスＢは、ホスト／スレーブ関係をランダムに決定し、接続を確立する。結果として、以下のケースが存在する。接続が確立された後、デバイスＡはホストデバイスとして機能し、デバイスＢはスレーブデバイスとして機能するか、または、接続が確立された後、デバイスＡはスレーブデバイスとして機能し、デバイスＢはホストデバイスとして機能する。この２通りの可能性によって、接続の結果がランダムかつ制御不能なものとなり、論理電力供給／利用のエラーに関するいくつかの潜在的な問題が生じる。
【発明の概要】
【０００５】
本発明の実施形態は、ＵＳＢ  Ｔｙｐｅ−Ｃケーブルの両端部のロールを制御することで、ユーザが異なるデバイスをより明確かつ明示的に接続でき、電力供給方向を誤る事態が回避されるような、ＵＳＢ  Ｔｙｐｅ−Ｃプラグおよびケーブルを提供する。
【０００６】
第１態様は、ＵＳＢ  Ｔｙｐｅ−Ｃプラグであって、ＤＲＰと、ロール制御スイッチとを備え、ＤＲＰは、ＵＳＢデバイスに接続するよう構成され、ロール制御スイッチは、ＤＲＰに接続され、ＤＲＰのポート属性を制御するよう構成され、ポート属性は、ＵＦＰ、ＤＦＰ、またはロール制御無しを含む、ＵＳＢ  Ｔｙｐｅ−Ｃプラグを提供する。
【０００７】
第１態様に関連して、第１の可能な実装形態において、具体的な実装形態は以下の通りである。ロール制御スイッチは、第１抵抗を用いてＤＲＰのＣＣピンとＵＳＢ  Ｔｙｐｅ−Ｃプラグの電力ケーブルとを接続する、または第２抵抗を用いてＤＲＰのＣＣピンとＵＳＢ  Ｔｙｐｅ−Ｃプラグの接地ケーブルとを接続する、またはＤＲＰのＣＣピンと、ＵＳＢ  Ｔｙｐｅ−Ｃプラグが配されるケーブルのＣＣワイヤとを接続するよう構成される。
【０００８】
第１態様または第１態様の第１の可能な実装形態に関連して、第２の可能な実装形態において、具体的な実装形態は以下の通りである。ロール制御スイッチは、機械的デュアルインラインパッケージスイッチまたは電気的スイッチである。
【０００９】
第２態様は、第１態様、第１態様の第１の可能な実装形態、または第１態様の第２の可能な実装形態のいずれか１つに係るＵＳＢ  Ｔｙｐｅ−Ｃプラグを備えるＵＳＢ  Ｔｙｐｅ−Ｃケーブルを提供する。
【００１０】
第２態様に関連して、第１の可能な実装形態において、具体的な実装形態は以下の通りである。ＵＳＢ  Ｔｙｐｅ−Ｃケーブルの両端部のポートが、ＵＳＢ  Ｔｙｐｅ−Ｃプラグである。
【００１１】
第２態様に関連して、第２の可能な実装形態において、具体的な実装形態は以下の通りである。ＵＳＢ  Ｔｙｐｅ−Ｃケーブルの一方の端部のポートが、ＵＳＢ  Ｔｙｐｅ−Ｃプラグであり、他方の端部のポートが、ＵＳＢ  Ｔｙｐｅ−Ａプラグ、ＵＳＢ  Ｔｙｐｅ−Ｂプラグ、ＵＳＢ  Ｍｉｎｉ−Ｂプラグ、またはロール制御スイッチを有しないＵＳＢ  Ｔｙｐｅ−Ｃプラグである。
【００１２】
第２態様に関連して、第３の可能な実装形態において、具体的な実装形態は以下の通りである。ＵＳＢ  Ｔｙｐｅ−Ｃケーブルの一方の端部のポートが、ＵＳＢ  Ｔｙｐｅ−Ｃプラグであり、他方の端部が、デバイスに直接的に接続される。
【００１３】
前述の技術的解決手段、および本発明の実施形態におけるＵＳＢ  Ｔｙｐｅ−Ｃプラグおよびケーブルによれば、ロール制御スイッチがＤＲＰのポート属性を制御し、これにより、ＵＳＢ  Ｔｙｐｅ−Ｃプラグを備えるＵＳＢ  Ｔｙｐｅ−Ｃケーブルは、ケーブル両端部のデバイスのホスト／スレーブ属性を制御することができる。このようにして、ユーザは、異なるデバイスをより明確かつ明示的に接続することができ、それにより電力供給方向を誤る事態が回避される。
【図面の簡単な説明】
【００１４】
本発明の実施形態における技術的解決手段をより明確に説明すべく、以下、実施形態または従来技術の説明に必要な添付の図面について簡潔に説明する。以下の説明における添付の図面は、本発明の一部の実施形態を示すものに過ぎず、当業者であれば、これら添付の図面から創造的努力なく他の図面をさらに導き出し得ることは明らかである。
【００１５】
【図１】本発明の一実施形態に係るＵＳＢ  Ｔｙｐｅ−Ｃプラグの概略構造図である。
【００１６】
【図２】本発明の一実施形態に係るＵＥＢ  Ｔｙｐｅ−Ｃプラグの概略回路図である。
【００１７】
【図３】本発明の一実施形態に係るＵＥＢ  Ｔｙｐｅ−Ｃプラグの別の概略回路図である。
【００１８】
【図４】本発明の一実施形態に係るＵＳＢ  Ｔｙｐｅ−Ｃケーブルの概略構造図である。
【発明を実施するための形態】
【００１９】
以下、本発明の実施形態における添付の図面を参照して、本発明の実施形態における技術的解決手段を明確かつ完全に説明する。説明されている実施形態は、本発明の実施形態の一部であって全てではないことは明らかである。当業者により、本発明の実施形態に基づいて創造的努力なく得られる全ての他の実施形態が、本発明の保護範囲に属するものとする。
【００２０】
図１は、本発明の一実施形態に係るＵＳＢ  Ｔｙｐｅ−Ｃプラグ１００の概略構造図である。図１に示すように、ＵＳＢ  Ｔｙｐｅ−Ｃプラグ１００は、ＤＲＰ１０１およびロール制御装置１０２を備えてよい。
【００２１】
ＤＲＰ１０１は、ＵＳＢデバイスに接続するよう構成される。
【００２２】
ロール制御スイッチ１０２は、ＤＲＰ１０１に接続され、ＤＲＰ１０１のポート属性を制御するよう構成される。
【００２３】
ポート属性は、スレーブデバイスポートＵＦＰ、ホストデバイスポートＤＦＰ、またはロール制御無しを含む。
【００２４】
ＤＲＰ１０１は、デュアルロールデバイスであり、ＵＳＢ  Ｔｙｐｅ−Ｃ仕様におけるＤＲＰポートの規定に準拠することを理解されたい。
【００２５】
ロール制御スイッチ１０２がＤＲＰ１０１のポート属性をＵＦＰとなるよう制御する場合、ＤＲＰ１０１に接続されるデバイスはスレーブデバイスとして機能し、ロール制御スイッチ１０２がＤＲＰ１０１のポート属性をＤＦＰとなるよう制御する場合、ＤＲＰ１０１に接続されるデバイスはホストデバイスとして機能し、ロール制御スイッチ１０２がＤＲＰ１０１のポート属性をロール制御無しとなるよう制御する場合、ＤＲＰ１０１に接続されるデバイスはホストデバイスとして存在してもよくスレーブデバイスとして存在してもよいことを理解されたい。ＤＲＰ１０１の機能は、従来技術におけるＵＳＢ  Ｔｙｐｅ−ＣプラグのＤＲＰポートのものと同じである。
【００２６】
本発明の本実施形態において、ロール制御スイッチがＤＲＰのポート属性を制御し、これにより、ＵＳＢ  Ｔｙｐｅ−Ｃプラグを備えるＵＳＢ  Ｔｙｐｅ−Ｃケーブルは、ケーブル両端部のデバイスのホスト／スレーブ属性を制御することができる。このようにして、ユーザは、異なるデバイスをより明確かつ明示的に接続することができ、それにより電力供給方向を誤る事態が回避される。
【００２７】
具体的には、ロール制御スイッチ１０２は、第１抵抗を用いてＤＲＰ１０１のＣＣピンとＵＳＢ  Ｔｙｐｅ−Ｃプラグの電力ケーブルとを接続する、または第２抵抗を用いてＤＲＰ１０１のＣＣピンとＵＳＢ  Ｔｙｐｅ−Ｃプラグの接地ケーブルとを接続する、またはＤＲＰ１０１のＣＣピンと、ＵＳＢ  Ｔｙｐｅ−Ｃプラグが配されるケーブルのＣＣワイヤとを接続するよう構成される。
【００２８】
ロール制御スイッチ１０２が、第１抵抗を用いてＤＲＰ１０１のＣＣピンとＵＳＢ  Ｔｙｐｅ−Ｃプラグの電力ケーブルとを接続した場合、ＤＲＰ１０１のポート属性はＵＦＰとなる。
【００２９】
ロール制御スイッチ１０２が、第２抵抗を用いてＤＲＰ１０１のＣＣピンとＵＳＢ  Ｔｙｐｅ−Ｃプラグの接地ケーブルとを接続した場合、ＤＲＰ１０１のポート属性はＤＦＰとなる。
【００３０】
ロール制御スイッチ１０２が、ＤＲＰ１０１のＣＣピンと、ＵＳＢ  Ｔｙｐｅ−Ｃプラグが配されるケーブルのＣＣワイヤとを接続した場合、ＤＲＰ１０１のポート属性はロール制御無しとなる。すなわち、ＤＲＰ１０１のポート属性はやはりデュアルロールポートである。
【００３１】
具体的な応用において、ロール制御スイッチ１０２は、機械的デュアルインラインパッケージスイッチまたは電気的スイッチであってよい。
【００３２】
図２は、本発明の一実施形態に係るＵＥＢ  Ｔｙｐｅ−Ｃプラグの概略回路図である。図２に示すように、右側の破線ブロック内はロール制御スイッチ１０２（Ｕ２）であり、これは電子的スイッチである。図２に示す電力ピン、ＣＣピン、および接地ピンは、それぞれＤＲＰ１０１の電力ピン、ＣＣピン、および接地ピンである。
【００３３】
電力ピンは電力ケーブルに接続され、ＣＣピンは三択スイッチの入力端子（図２の（４））に接続され、接地ピンは接地ケーブルに接続されている。
【００３４】
三択スイッチの出力端子１（図２の（１））は第１抵抗（図２のＲ１）の一方の端部に接続され、第１抵抗（図２のＲ１）の他方の端部は電力ケーブルに接続されている。
【００３５】
三択スイッチの出力端子２（図２の（２））はＣＣワイヤに接続されている。
【００３６】
三択スイッチの出力端子３（図２の（３））は第２抵抗（図２のＲ２）の一方の端部に接続され、第２抵抗（図２のＲ２）の他方の端部は接地ケーブルに接続されている。
【００３７】
三択スイッチがＣＣピンを制御し、第１抵抗（図２のＲ１）を用いて電力ケーブルに接続した（すなわち、図２の（４）が（１）に接続した）場合、ＤＲＰ１０１のポート属性はＵＦＰとして指定される。
【００３８】
三択スイッチがＣＣピンを制御し、第２抵抗（図２のＲ２）を用いて接地ケーブルに接続した（すなわち、図２の（４）が（３）に接続した）場合、ＤＲＰ１０１のポート属性はＤＦＰとして指定される。
【００３９】
三択スイッチがＣＣピンを制御し、ＣＣワイヤに接続した（すなわち、図２の（４）が（２）に接続した）場合、ＤＲＰ１０１のポート属性は指定無しとなる。すなわち、ＤＲＰ１０１はやはりデュアルロールポートである。
【００４０】
もちろん、ＣＣピンに接続される端子を三択スイッチの出力端子と称する場合は、他の３つの端子は三択スイッチの入力端子と称されることを理解されたい。
【００４１】
図３は、本発明の一実施形態に係るＵＥＢ  Ｔｙｐｅ−Ｃプラグの概略回路図である。図３に示すように、右側の破線ブロック内はロール制御スイッチ１０２（三択スイッチ）であり、これは電気的スイッチであり、Ｕ１、Ｕ２、およびＫ１を含んでよい。Ｕ２は電子的スイッチであり、Ｕ１はマイクロコントロールユニットＭＣＵであり、Ｋ１はキーである。図３に示す電力ピン、ＣＣピン、および接地ピンは、それぞれＤＲＰ１０１の電力ピン、ＣＣピン、および接地ピンである。Ｕ２は、電子的スイッチであり、制御入力端子（図３の（４））の入力信号に従って、出力端子１、２、および３（図３の（１）、（２）、および（３））のうち、データ入力端子（図３の（６））が接続される１つの出力端子を決定するよう構成される。Ｕ１は、プログラミングされたマイクロコントロールユニットＭＣＵであり、制御信号を制御入力端子（図３の（４））に出力するよう構成される。Ｋ１は、キーであり、Ｕ１からの制御信号の出力を制御するよう構成される。これにより、Ｕ１のデータ入力端子（図３の（６））に接続される出力端子が、出力端子１、２、および３（図３の（１）、（２）、および（３））の間で切り替わる。電力ピンは電力ケーブルに接続され、ＣＣピンはＵ２のデータ入力端子（図３の（６））に接続され、接地ピンは接地ケーブルに接続されている。
【００４２】
Ｕ２の出力端子１（図３の（１））は第１抵抗（図３のＲ１）の一方の端部に接続され、第１抵抗（図３のＲ１）の他方の端部は電力ケーブルに接続されている。
【００４３】
Ｕ２の出力端子２（図３の（２））はＣＣワイヤに接続されている。
【００４４】
Ｕ２の出力端子３（図３の（３））は第２抵抗（図３のＲ２）の一方の端部に接続され、第２抵抗（図３のＲ２）の他方の端部は接地ケーブルに接続されている。
【００４５】
Ｕ１の出力端子（図３の（９））はＵ２の制御入力端子（図３の（４））に接続され、電力供給端子（図３の（７））は、ボタン電池（ＢＡＴ）に接続され、ＢＡＴにより電力供給される。
【００４６】
キーＫ１の一方の端部はＢＡＴに接続され、他方の端部は、Ｕ１の制御入力端子（図３の（８））と第３抵抗（Ｒ３）の一方の端部とに接続されている。第３抵抗（Ｒ３）の他方の端部は、接地ケーブルに接続されている。キーＫ１は、Ｕ１の出力を制御して、各接続部において１種類の出力信号を生成し、Ｕ１を３種類の出力信号の間で切り替わるよう制御する。キーＫ１がＵ１の出力を制御し、これによりＵ１は、出力端子１、２、または３をＵ２の出力端子として選択するようＵ２を制御することができる。
【００４７】
Ｄ１、Ｄ２、およびＤ３は、３つのＬＥＤインジケータであり、インジケーションの役割を担う。Ｄ１、Ｄ２、およびＤ３は、インジケータであり、Ｕ１の現在の出力信号を示すよう構成される、またはＵ２に現在接続されている出力端子を示すよう構成される。例えば、Ｄ１インジケータがオンであり、Ｄ２およびＤ３がオフである場合、これはＵ２に現在接続されている出力端子が出力端子１（図３の（１））であり、Ｕ２のデータ入力端子（図３の（６））がＵ２の出力端子１（図３の（１））に接続されていることを示す。Ｄ２インジケータがオンであり、Ｄ１およびＤ３がオフである場合、これはＵ２に現在接続されている出力端子が出力端子２（図３の（２））であり、Ｕ２のデータ入力端子（図３の（６））がＵ２の出力端子２（図３の（２））に接続されていることを示す。Ｄ３インジケータがオンであり、Ｄ１およびＤ２がオフである場合、これはＵ２に現在接続されている出力端子が出力端子３（図３の（３））であり、Ｕ２のデータ入力端子（図３の（６））がＵ２の出力端子３（図３の（３））に接続されていることを示す。その他同様である。
【００４８】
キーＫ１が一度押された場合、Ｕ１は、ＵＦＰ、指定無し、およびＤＦＰの３つの状態の間で一度循環的に切り替わるようＵ２を制御する。
【００４９】
機械的デュアルインラインパッケージスイッチまたは電気的スイッチ（キー、ＭＣＵ、電子的スイッチ、およびＬＥＤインジケータを含む電子的スイッチ）を用いることは、本発明に例示される２つの具体的な実施形態に過ぎないことを理解されたい。実際の応用においては、電子的スイッチ、機械的スイッチ、または機械・電子的スイッチが用いられる別の実施形態が存在してよい。例えば、機械的ボタンが静電容量式タッチキーで置き換えられ、ＬＥＤがＬＣＤまたはＯＬＥＤディスプレイで置き換えられる。詳細はここでは説明しない。
【００５０】
図４は、本発明の一実施形態に係るＵＳＢ  Ｔｙｐｅ−Ｃケーブル４００の概略構造図である。図４に示すように、ＵＳＢ  Ｔｙｐｅ−Ｃケーブル４００はＵＳＢ  Ｔｙｐｅ−Ｃプラグ４０１を備えてよく、ＵＳＢ  Ｔｙｐｅ−Ｃプラグ４０１は、図１に示す実施形態におけるＵＳＢ  Ｔｙｐｅ−Ｃプラグである。
【００５１】
本発明の本実施形態において、ＵＳＢ  Ｔｙｐｅ−Ｃケーブルは、ロール制御スイッチを有するＵＳＢ  Ｔｙｐｅ−Ｃプラグを用い、ケーブル両端部のデバイスのホスト／スレーブ属性を制御することができる。このようにして、ユーザは、異なるデバイスをより明確かつ明示的に接続することができ、それにより電力供給方向を誤る事態が回避される。
【００５２】
任意で、一実施形態において、ＵＳＢ  Ｔｙｐｅ−Ｃケーブル４００の両端部のポートは、図１に示す実施形態におけるＵＳＢ  Ｔｙｐｅ−Ｃプラグ１００である。
【００５３】
任意で、別の実施形態において、ＵＳＢ  Ｔｙｐｅ−Ｃケーブル４００の一方の端部のポートが、図１に示す実施形態におけるＵＳＢ  Ｔｙｐｅ−Ｃプラグ１００であり、他方の端部のポートが、ＵＳＢ  Ｔｙｐｅ−Ａプラグ、ＵＳＢ  Ｔｙｐｅ−Ｂプラグ、ＵＳＢ  Ｍｉｎｉ−Ｂプラグ、またはロール制御スイッチを有しないＵＳＢ  Ｔｙｐｅ−Ｃプラグである。
【００５４】
任意で、一実施形態において、ＵＳＢ  Ｔｙｐｅ−Ｃケーブル４００の一方の端部のポートが、図１に示す実施形態におけるＵＳＢ  Ｔｙｐｅ−Ｃプラグ１００であり、他方の端部が、デバイスに直接的に接続される。
【００５５】
前述のプロセスの順序番号は、本発明の様々な実施形態における実行順序を意味するものではないことを理解されたい。プロセスの実行順序は、プロセスの機能及び内部ロジックに従って決定されるべきであって、本発明の実施形態の実装プロセスに対する何らかの限定として解されるべきではない。
【００５６】
当業者であれば、本明細書に開示の実施形態に関連して説明される例におけるユニットおよびアルゴリズム段階が、電子的ハードウェアまたはコンピュータソフトウェアと電子的ハードウェアとの組み合わせによって実装されてよいことを認識されよう。それらの機能がハードウェアによって行われるかソフトウェアによって行われるかは、技術的解決手段の特定の用途および設計制約条件に依存する。当業者であれば、異なる方法を用いて、説明されている機能を特定の用途ごとに実装し得るが、そのような実装が、本発明の範囲を超えるものとみなされるべきではない。
【００５７】
当業者には明確に理解され得るように、説明を簡便かつ簡単にする目的で、前述のシステム、装置、およびユニットの詳細な動作プロセスについては、前述の方法の実施形態における対応するプロセスを参照されたく、詳細は説明しない。
【００５８】
本願において提供されるいくつかの実施形態において、開示のシステム、装置、および方法は、他の方式で実装されてよいことを理解されたい。例えば、説明されている装置の実施形態は、一例に過ぎない。例えば、ユニットの分割は、論理機能の分割に過ぎず、実際の実装においては他の分割であってよい。例えば、複数のユニットまたはコンポーネントを組み合わせてまたは統合して、別のシステムとしてもよい。あるいは、一部の特徴が無視されてよく、または行われなくてもよい。加えて、表示または議論されている相互結合もしくは直接的結合または通信接続は、いくつかのインタフェース、装置またはユニット間の間接的結合もしくは通信接続、もしくは電気的接続、機械的接続、または他の形態の接続によって実装されてよい。
【００５９】
別個の部分として説明されているユニットは、物理的に別個であってもなくてもよく、ユニットとして表示される部分は、物理的ユニットであってもなくてもよく、１つの位置に配置されてもよく、または複数のネットワークユニットに分散されてもよい。これらユニットの一部または全てが、実施形態の解決手段の目的を実現するよう、実際の必要性に従って選択されてよい。
【００６０】
加えて、本発明の実施形態における機能ユニットが１つの処理ユニットに統合されてよく、もしくはユニットの各々が物理的に単独で存在してよく、または２つまたはそれより多くのユニットが１つのユニットに統合される。
【００６１】
機能がソフトウェア機能ユニットの形態で実装され、単独の製品として販売または使用される場合、機能は、コンピュータ可読記憶媒体に記憶されてよい。そのような理解に基づいて、本発明の技術的解決手段は本質的に、または従来技術に寄与する部分は、または技術的解決手段の一部は、ソフトウェア製品の形態で実装されてよい。ソフトウェア製品は、記憶媒体に記憶され、本発明の実施形態において説明される方法の段階の全てまたは一部を実行するようコンピュータデバイス（これはパーソナルコンピュータ、サーバ、またはネットワークデバイスであってよい）に命令するためのいくつかの命令を含む。前述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクのような、プログラムコードを記憶することができる任意の媒体を含む。
【００６２】
前述の説明は、本発明の具体的な実装形態に過ぎず、本発明の保護範囲を限定することを意図するものではない。本発明に開示の技術的範囲内において当業者により容易に想到されるあらゆる変形または置き換えが、本発明の保護範囲に属するものとする。従って、本発明の保護範囲は、特許請求の範囲の保護範囲に従うものとする。
【図１】
2019501440.tif 000003
【図２】
2019501440.tif 000004
【図３】
2019501440.tif 000005
【図４】
2019501440.tif 000006
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
ユニバーサルシリアルバス（ＵＳＢ）Ｔｙｐｅ−Ｃプラグであって、
デュアルロールポート（ＤＲＰ）と、ロール制御スイッチとを備え、
前記ＤＲＰは、ＵＳＢデバイスに接続し、
前記ロール制御スイッチは、前記ＤＲＰに接続され、前記ＤＲＰのポート属性を制御し、前記ポート属性は、スレーブデバイスポートＵＦＰ、ホストデバイスポートＤＦＰ、またはロール制御無しを含む、
ＵＳＢ  Ｔｙｐｅ−Ｃプラグ。
【請求項２】
前記ロール制御スイッチは、第１抵抗を用いて前記ＤＲＰのＣＣピンと前記ＵＳＢ  Ｔｙｐｅ−Ｃプラグの電力ケーブルとを接続する、または第２抵抗を用いて前記ＤＲＰのＣＣピンと前記ＵＳＢ  Ｔｙｐｅ−Ｃプラグの接地ケーブルとを接続する、または前記ＤＲＰのＣＣピンと、前記ＵＳＢ  Ｔｙｐｅ−Ｃプラグが配されるケーブルのＣＣワイヤとを接続する、
請求項１に記載のＵＳＢ  Ｔｙｐｅ−Ｃプラグ。
【請求項３】
前記ロール制御スイッチは、機械的デュアルインラインパッケージスイッチまたは電気的スイッチである、
請求項２に記載のＵＳＢ  Ｔｙｐｅ−Ｃプラグ。
【請求項４】
請求項１から３のいずれか一項に記載のＵＳＢ  Ｔｙｐｅ−Ｃプラグを備える、
ユニバーサルシリアルバス（ＵＳＢ）Ｔｙｐｅ−Ｃケーブル。
【請求項５】
前記ＵＳＢ  Ｔｙｐｅ−Ｃケーブルの両端部のポートが、前記ＵＳＢ  Ｔｙｐｅ−Ｃプラグである、
請求項４に記載のＵＳＢ  Ｔｙｐｅ−Ｃケーブル。
【請求項６】
前記ＵＳＢ  Ｔｙｐｅ−Ｃケーブルの一方の端部のポートが、前記ＵＳＢ  Ｔｙｐｅ−Ｃプラグであり、他方の端部のポートが、ＵＳＢ  Ｔｙｐｅ−Ａプラグ、ＵＳＢ  Ｔｙｐｅ−Ｂプラグ、ＵＳＢ  Ｍｉｎｉ−Ｂプラグ、またはロール制御スイッチを有しないＵＳＢ  Ｔｙｐｅ−Ｃプラグである、
請求項４に記載のＵＳＢ  Ｔｙｐｅ−Ｃケーブル。
【請求項７】
前記ＵＳＢ  Ｔｙｐｅ−Ｃケーブルの一方の端部のポートが、前記ＵＳＢ  Ｔｙｐｅ−Ｃプラグであり、他方の端部が、デバイスに直接的に接続される、
請求項４に記載のＵＳＢ  Ｔｙｐｅ−Ｃケーブル。
【手続補正２】
【補正対象書類名】明細書
【補正対象項目名】００１６
【補正方法】変更
【補正の内容】
【００１６】
【図２】本発明の一実施形態に係るＵＳＢ  Ｔｙｐｅ−Ｃプラグの概略回路図である。
【手続補正３】
【補正対象書類名】明細書
【補正対象項目名】００１７
【補正方法】変更
【補正の内容】
【００１７】
【図３】本発明の一実施形態に係るＵＳＢ  Ｔｙｐｅ−Ｃプラグの別の概略回路図である。
【手続補正４】
【補正対象書類名】明細書
【補正対象項目名】００３２
【補正方法】変更
【補正の内容】
【００３２】
図２は、本発明の一実施形態に係るＵＳＢ  Ｔｙｐｅ−Ｃプラグの概略回路図である。図２に示すように、右側の破線ブロック内はロール制御スイッチ１０２（Ｕ２）であり、これは電子的スイッチである。図２に示す電力ピン、ＣＣピン、および接地ピンは、それぞれＤＲＰ１０１の電力ピン、ＣＣピン、および接地ピンである。
【手続補正５】
【補正対象書類名】明細書
【補正対象項目名】００４１
【補正方法】変更
【補正の内容】
【００４１】
図３は、本発明の一実施形態に係るＵＳＢ  Ｔｙｐｅ−Ｃプラグの概略回路図である。図３に示すように、右側の破線ブロック内はロール制御スイッチ１０２（三択スイッチ）であり、これは電気的スイッチであり、Ｕ１、Ｕ２、およびＫ１を含んでよい。Ｕ２は電子的スイッチであり、Ｕ１はマイクロコントロールユニットＭＣＵであり、Ｋ１はキーである。図３に示す電力ピン、ＣＣピン、および接地ピンは、それぞれＤＲＰ１０１の電力ピン、ＣＣピン、および接地ピンである。Ｕ２は、電子的スイッチであり、制御入力端子（図３の（４））の入力信号に従って、出力端子１、２、および３（図３の（１）、（２）、および（３））のうち、データ入力端子（図３の（６））が接続される１つの出力端子を決定するよう構成される。Ｕ１は、プログラミングされたマイクロコントロールユニットＭＣＵであり、制御信号を制御入力端子（図３の（４））に出力するよう構成される。Ｋ１は、キーであり、Ｕ１からの制御信号の出力を制御するよう構成される。これにより、Ｕ２のデータ入力端子（図３の（６））に接続される出力端子が、出力端子１、２、および３（図３の（１）、（２）、および（３））の間で切り替わる。電力ピンは電力ケーブルに接続され、ＣＣピンはＵ２のデータ入力端子（図３の（６））に接続され、接地ピンは接地ケーブルに接続されている。
【国際調査報告】
2019501440.tif 000007
2019501440.tif 000008
2019501440.tif 000009
2019501440.tif 000010